(57)【要約】【課題】スマートフォンの優れたデザインや薄さと調和しつつ、使用者が片手で、その指を差し込んで自由度の高くスマートフォンを保持でき、その操作性や閲覧性を最大限に引き出することのできるスマートフォン用アタッチメントケースを提供すること。【解決手段】略平板上のスマートフォンの４つの角それぞれに勘合する結合部と、当該結合部に連結された伸縮性のある支持体を備えることを特徴とするスマートフォン用アタッチメントケースを提供する。【選択図】図１
2018093367.tif 000002
【特許請求の範囲】
【請求項１】
略平板上のスマートフォンの４つの角それぞれに嵌合する結合部と、当該結合部に連結された伸縮性のある支持体を備えることを特徴とするスマートフォン用アタッチメントケース。
【請求項２】
前記支持体が略Ｘ字状であることを特徴とする請求項１記載のスマートフォン用アタッチメントケース。
【請求項３】
前記支持体が略Ｉ字状であることを特徴とする請求項１記載のスマートフォン用アタッチメントケース。
【請求項４】
前記支持体が前記結合部と一体として同一部材で成形されていることを特徴とする請求項２および３記載のスマートフォン用アタッチメントケース。
【発明の詳細な説明】
【技術分野】
【０００１】
本願発明は、スマートフォン、タブレットその他の通信端末及び音楽プレイヤー等の携帯機器のアタッチメントケースに関するものである。
【背景技術】
【０００２】
スマートフォンやタブレット端末の普及により、これら携帯機器を外出時に片手で安定的に保持できる保持具が訴求されている。
【０００３】
例えば、特開２０１２−１５１７７０号公報「保持バンドを有する携帯機器用ケース」が提案されている。この従来例は、軟質性を有する帯状体からなる保持バンドをスマートフォンのケース体の外側の縦方向に沿ってケース体と一体に設け、上記ケース体裏面に上記保持バンドとの間に指挿通部を形成し、使用時にはこの指挿通部に２本の指を差し込んだ状態で指を動かしてタッチパネルのアイコンを操作するものである（公報第４頁段落００１１及び図７参照）。しかし、指挿通部と本体その間には隙間があり、想定される指挿通部へ指を差し込んで保持するという使い方だけであれば問題がないが、薄さが求められるスマートフォンの厚みが増してしまい、また机上に置いて使用する際には、保持バンドが背面側に出っ張っているので、安定しないなどの問題点があった。
【０００４】
他方、特開２０１４−１８９７３５公報「携帯機器用保持具」では、スマートフォンの形状に合わせた保持カバーケースの一部を切り欠いて指を入れる構造が提案されているが、保持を安定させるには背面にある伸縮帯の複数の指差し入れ口に交互に指を差し入れる必要があり、指の入れ方（持ち方）の自由度が低く不便であるうえ、非対称で構造あるために利き手を選ぶという問題点があった。
【先行技術文献】
【特許文献】
【０００５】
【特許文献１】特開２０１２−１５１７７０号公報
【特許文献１】特開２０１４−１８９７３５公報
【発明の概要】
【発明が解決しようとする課題】
【０００６】
本願発明は、スマートフォンの優れたデザインや薄さと調和しつつ、片手の指を差し込んで簡単かつ保持態様の自由度が高いスマートフォンを保持できるスマートフォン用アタッチメントケースを提供することを課題とする。
【課題を解決するための手段】
【０００７】
本願発明は、第１には、略平板上のスマートフォンの４つの角それぞれに勘合する結合部と、当該結合部に連結された伸縮性のある支持体を備えることを特徴とするスマートフォン用アタッチメントケースを提供する。
【０００８】
更に、本願発明は、第２に、前記支持体が略Ｘ字状であることを特徴とする前記スマートフォン用アタッチメントケース、第３に前記支持体が略Ｉ字状であることを特徴とする前記スマートフォン用アタッチメントケースをそれぞれ提供する。
【０００９】
また、本願発明は、前記支持体が前記結合部と一体として同一部材で成形されていることを特徴とする前記スマートフォン用アタッチメントケースを提供する。
【発明の効果】
【００１０】
本願発明により、スマートフォンの優れたデザインや薄さと調和しつつ、片手の指を差し込んで簡単かつ保持態様の自由度が高いスマートフォンを保持できるスマートフォン用アタッチメントケースが提供され、日常生活におけるスマートフォンの利用がより便利になる。
【図面の簡単な説明】
【００１１】
【図１】実施例１のスマートフォン用アタッチメントケースである。
【図２】実施例１のスマートフォン用アタッチメントケースの装着状態である。
【図３】実施例２のスマートフォン用アタッチメントケースである。
【発明を実施するための形態】
【００１２】
以下、本願発明に係るスマートフォン用アタッチメントケースは、略平板上のスマートフォンの４つの角それぞれに嵌合する結合部と、当該結合部に連結された伸縮性のある支持体で構成される。
【００１３】
当該結合部は、スマートフォンの角の形状に適合するように形成された部材であって、任意の部材を選択できる。好ましくは、アルミニウムその他の合金を含む金属、天然皮革、合成皮革、麻や綿などの天然繊維・化学繊維による紡績材料、樹脂、各種の硬質プラスチック、ポリカーボネート（ＰＣ）、熱可塑性ポリウレタン（ＴＰＵ）、シリコーン、およびこれらのうち複数からあるハイブリッド素材などが選択される。結合部は、支持体と別部材で構成されていても、一体として構成されていても、いずれの構成を採用しても構わない。また、結合部はスマートフォンの１つの角に対して１個ずつ構成しても構わないし、複数すなわち２ないし４つの角を同時に嵌合する形状であってもよい。また、結合部は、使用者がスマートフォンを誤って落下させたような場合でも、十分に緩衝できるよう、好ましくは、スマートフォンの損壊を最小限に低減させるように、例えば、スマートフォン画面を下して平板にスマートフォンを置いても画面が平板に接触しないよう、画面より鉛直方向に若干の厚みを持たせることが望ましく、より好ましくは角を包み込むようなポケット状の形状を有するものであることが望ましい。
【００１４】
他方、支持体は伸縮性を有する素材であって、支持体とスマートフォン側との隙間へ指を挿入して保持することから、好ましくは帯状である。支持体は、全体が伸縮性を有していても構わないし、一部に伸縮性を有する素材を組み込んだものであっても、いずれを採用しても構わない。この伸縮性を有す素材は、好ましくは、ＴＰＵ、シリコーン、ゴム、およびこれらの部材と各種の混紡繊維等の素材が作用される。また、指を挿入しやすくするために、好ましくは前記隙間（最大部）が０．３ないし１．０ミリメートルの範囲、より好ましくは０．５ないし０．８ミリメートルの範囲になるように調整された形状である。また、同じく指を挿入しやすくするために、支持体の本体側の接する面の角を落とし、断面がＵ字（逆かまぼこ形）であることが好ましい。また、支持体と本体との間に指を挿入し、画面を縦長に見る方向でスマートフォンを保持した場合に、挿入した指をスマートフォンの下端部へ移動させても、下端部から２０ないし３０ミリメートルの位置で、支持体の張力または物理構造によって指が止まるように構成されたものが好ましい。
【００１５】
また、本願発明にかかる結合部および支持体に、デザイン性を付与するために、天然または合成皮革などの他の部材を表面に貼付したり、結合部および支持体に直接印刷その他の方法で適宜意匠を施したりしても良い。また、機能性を付与するために、例えば手帳型ケースとしてスマートフォンの画面カバーを接続ないし一体として成形してもよい。さらに、結合部および支持体は、スマートフォンの操作ボタン等に干渉しないように切り欠きを設けたり、穿孔したりすることができる。また、スピーカー、カメラ、データおよび充電ケーブルの接続用のコネクタ部、ヘッドフォンジャックその他の出入力およびセンサー部分へのアクセスを確保し、あるいは、スマートフォンの意匠（ロゴマーク）等を隠さないようにするために、切り欠きを設けたり、穿孔したりすることができる。  
【００１６】
更に、本願発明のスマートフォン用アタッチメントケースは、第２に、支持体が略Ｘ字状であることを特徴とする。支持体は、好ましくは左右対称となるように構成され、より好ましくは、略平板状のスマートフォンの４つの頂点に関する対角線に沿った形状である。ただし、スマートフォンの大きさや長さなどの形状に従って、Ｙ字を二つ組み合わせたような形状であってもよい。
【００１７】
また、本願発明のスマートフォン用アタッチメントケースは、第３に、支持体が略Ｉ字状であることを特徴とする。支持体は、好ましくは左右対称となるように構成され、より好ましくは、スマートフォンの中心線に沿った形状である。
【００１８】
更に、本願発明のスマートフォン用アタッチメントケースは、第４に、支持体が結合部と一体として同一部材で成形されていることを特徴とする。支持体は、スマートフォンの角に嵌合する４カ所の結合部がそれぞれ独立している場合には、好ましくは、結合部同士を緊締してスマートフォン本体からアタッチメントケースが脱離しないような十分な張力を有し、かつ、スマートフォンを保持するために指を支持体と本体との間に挿入しても、十分な復元力を有するものが採用される。
【００１９】
次に、実施例を用いて本願発明の実施形態を説明する。ただし、本願発明はこれら実施例で開示する実施形態に限定されるものではない。
【実施例１】
【００２０】
実施例１は、本願発明にかかる支持体を略Ｘ字状としたスマートフォン用アタッチメントケースであり、その模式図を図１および２に示す。
【００２１】
本実施例のスマートフォン用アタッチメントケースには、２種類の結合部が設けられている。すなわち、一方の結合部はスマートフォンを縦位置で保持したときに下となる側（以下「下側」という）のそれぞれ角に嵌合する２つポケット状の結合部２１で、左右独立したものである。他方の結合部は、スマートフォンを縦位置で保持したときに上となる側（以下「上側」という）の二つの角および、スマートフォンの上側のエッジ部分と一体的に嵌合するポケット状の結合部２２を備える。本実施例では、これら３つの結合部を連結し、かつ、緊締するための伸縮性部材を用いた支持体１１が結合部２１および２２と一体として整形されている。
【００２２】
スマートフォン３は２つの結合部２１および１つの結合部２２のポケットに４つの角をはめ込んで、本実施例のスマートフォン用アタッチメントケースに装着する。使用者は、スマートフォン３と、支持体１１との隙間に指を１ないし数本差し込み、片手でスマートフォンを保持する。
【００２３】
さらに、支持体１１の間隙１０は、アップル社製のスマートフォンを対象とする場合には、その背面にある同社の意匠（ロゴマーク）見えるような大きさ・位置が選択される。また、結合部２２には、スマートフォンのカメラレンズ３３を覆い隠さないようにするために穿孔２４が設けられている。そのほか、支持体１１および、結合部２１・２２には、スマートフォンのそれぞれの機種に適合するよう、スマートフォン３のスマートフォンの操作ボタン３１、コネクタ部３２、スピーカー、ヘッドフォンジャック、その他の操作部等へのアクセスを確保する目的で、切り欠きを設けたり、穿孔したりすることができる。
【実施例２】
【００２４】
実施例２は、本願発明にかかる支持体を略Ｉ字状としたスマートフォン用アタッチメントケースであり、その模式図を図３に示す。
【００２５】
本実施例のスマートフォン用アタッチメントケースは、スマートフォン背面を覆う様に一体化された結合部が設けられている。すなわち、スマートフォンの４つの角に嵌合する形状の結合部２３である。結合部２３にはシート状の伸縮性部材を用いたＩ状の支持体１２が一部で接着されている。この支持体の接着部は、通常はスマートフォンの上側および下側の任意の部分が選べる。
【００２６】
スマートフォン５は結合部２３の４つの角をはめ込んで、本実施例のスマートフォン用アタッチメントケースに装着する。使用者は、結合部２３と、支持体１２との隙間に指を１ないし数本差し込み、片手でスマートフォンを保持する。
【００２７】
さらに、支持体１２の間隙１０は、アップル社製のスマートフォンやタブレット端末を対象とする場合には、その背面にある同社の意匠（ロゴマーク）見えるような大きさ・位置が選択される。また、結合部２２には、スマートフォンのカメラレンズ３３を覆い隠さないようにするために穿孔２４が設けられている。そのほか、支持体１１および、結合部２１・２２には、スマートフォンのそれぞれの機種に適合するよう、スマートフォン３のスマートフォンの操作ボタン３１、コネクタ部３２、外部スピーカー、ヘッドフォンジャックその他の操作部等へのアクセスを確保する目的で、切り欠きを設けたり、穿孔したりすることができる。
【産業上の利用可能性】
【００２８】
片手で安全かつ確実なスマートフォンの保持が可能になり、データ入力、スタイラスペンの利用、カメラの撮影その他のスマートフォンの様々なシーンでの利用が広がる。
【符号の説明】
【００２９】
１０  支持体の間隙
１１  Ｘ型支持体
１２  Ｉ型支持体
２１  結合部（１つの角に嵌合するもの）
２２  結合部（２つの角に嵌合するもの）
２３  結合部（４つの角に嵌合するもの）
２４  カメラレンズ用穿孔
２５  ＩＣカード用穿孔
３    スマートフォン本体
３１  スマートフォンのボタン
３２  スマートフォンのケーブルコネクタ
３３  スマートフォンのカメラレンズ
４    ＩＣカード
【図１】
2018093367.tif 000003
【図２】
2018093367.tif 000004
【図３】
2018093367.tif 000005